(57)【要約】      （修正有）【課題】ＬＥＤ光を体のＬＥＤ照射エリアに照射するときに用いる、男女の違いに対応させた、手のＬＥＤ照射エリアの位置が手本としてシート面に示された、ＬＥＤ照射エリア表示シートを提供する。【解決手段】ＬＥＤ光を照射して手のＬＥＤ照射エリアを刺激する際に手の甲側にある主要な３点のＬＥＤ照射エリアの位置を知るために用いられる男女共用のＬＥＤ照射エリア表示シート１と、男女別の手の図絵に臓腑及び各箇所の椎と関連するエリアが、エリア線と色分けにより区分けされ、各区分けされたエリア辺りの箇所に臓腑及び各椎の名称が表示された男女共用のＬＥＤ照射エリア表示シートと、これら２種のＬＥＤ照射エリア表示シートを男女別に組み合わせたＬＥＤ照射エリア表示シートとによる４パターンとした。【選択図】図１
0003162170.tif 000002
【実用新案登録請求の範囲】
【請求項１】
ＬＥＤ光を手に照射して手の照射部位を刺激する際に手の甲側にある主要な３点のＬＥＤ照射エリアを知るために用いられる男女共用のシートであり、
該シートの左側面に男性の甲側から見た左手の図絵、該シートの右側面に女性の甲側から見た右手の図絵が夫々配置されており、
双方の手の図絵における、脳神経点と、合谷と、肛門点に、夫々、ＬＥＤ光の照射エリアを示す赤色スポットが着色表示されていることを特徴とするＬＥＤ照射エリア表示シート。
【請求項２】
ＬＥＤ光を手に照射して手の照射部位を刺激する際に手の甲側と掌（てのひら）側にあるＬＥＤ照射エリアを知るために用いられる男女共用のシートであり、
該シートの上段左側に男性の甲側から見た左手の図絵、該シートの下段右側に男性の掌（てのひら）側から見た左手の図絵が夫々配置され、
該シートの下段左側に女性の甲側から見た右手の図絵、該シートの下段右側に女性の掌（てのひら）側から見た右手の図絵が夫々配置されて、これらの手の図絵における臓腑及び各箇所の椎と関連するエリアが、エリア線と色分けにより区分けされ、各区分けされたエリア辺りの箇所に各エリアに関連する臓腑名及び各椎名が表示されていることを特徴とするＬＥＤ照射エリア表示シート。
【請求項３】
ＬＥＤ光を手に照射して手の照射部位を刺激する際に手の甲側と掌（てのひら）側にあるＬＥＤ照射エリアを知るために用いられる男性用のシートであり、
該シートの上段に男性の甲側から見た左手の図絵が配置されて、該図絵の脳神経点、合谷、肛門点に相当する箇所に、夫々、ＬＥＤ光の照射エリアポイント位置を示す赤色スポットが着色表示されており、
前記シートの下段左側に男性の甲側から見た左手の図絵、該シートの下段右側に男性の掌（てのひら）側から見た左手の図絵が夫々配置されて、これらの手の図絵における臓腑及び各箇所の椎と関連するエリアが、エリア線と色分けにより区分けされ、各区分けされたエリア辺りの箇所に各エリアに臓腑名及び各椎名が表示されていることを特徴とするＬＥＤ照射エリア表示シート。
【請求項４】
ＬＥＤ光を手に照射して手の照射部位を刺激する際に手の甲側と掌（てのひら）側にあるＬＥＤ照射エリアを知るために用いられる女性用のシートであり、
該シートの上段に女性の甲側から見た右手の図絵が配置されて、該図絵の脳神経点、合谷、肛門点に相当する箇所に、夫々、ＬＥＤ光の照射エリアを示す赤色スポットが着色表示されており、
前記シートの下段左側に女性の甲側から見た右手の図絵、該シートの下段右側に女性の掌（てのひら）側から見た右手の図絵が夫々配置されて、これらの手の図絵における臓腑及び各箇所の椎と関連するエリアが、エリア線と色分けにより区分けされ、各区分けされたエリア辺りの箇所に各エリアに関連する臓腑名及び各椎名が表示されていることを特徴とするＬＥＤ照射エリア表示シート。
【請求項５】
前記シートの表面が請求項３の考案に係るＬＥＤ照射エリア表示シートで構成され、前記シートの裏面が請求項４の考案に係るＬＥＤ照射エリア表示シートで構成された１枚構造を有していることを特徴とするＬＥＤ照射エリア表示シート。
【考案の詳細な説明】
【技術分野】
【０００１】  本考案は、ドットパターン形状のＬＥＤ光を、体、特に手に照射するときに用いる、ＬＥＤ照射エリアが手本としてシート面に表示されたＬＥＤ照射エリア表示シートに関する。
【背景技術及び考案が解決しようとする課題】
【０００２】  東洋医学に「経絡（けいらく）」、「ツボ」等の語がある。
「経絡」は、体の中にある気や血の通り道のことであり、気や血や滞ると経絡上に変化が現れ、臓腑に異常が起これば、その臓腑と関連する経絡に変化が生じることが知られている。
「ツボ」は、経絡上に圧痛などの変化が現れる箇所のことであり、ツボを刺激すると、そのツボが属する経絡の臓腑の働きが調整されて、気血の流れが良くなり、病気が治ることが知られている。
【０００３】  ツボの刺激には、古くから、押す、叩く、さする、揉む、こねる等の手を使う方法や針灸などが知られており、最近では、灸に代わるＬＥＤ光照射型の健康器具も開発済みである（特開平１０−３０９３２３号公報、特開２００６−３３４１８０号公報等）。これらの健康器具は、ドットパターンのＬＥＤ光を体のツボに照射して刺激するものである。
【０００４】  ところで、多くの人は自身で簡単に刺激することができるツボが手と足にあることを知っているが、手のどの部分にどの臓腑と関連するツボがあることを詳しく知っている人は少ない。ツボの位置を知るには、ツボと治療に関する本を見ればわかるが、「少商（しょうしょう）」「神門（しんもん）」「陽池（ようち）」「合谷（ごうこく）」・・・等のツボごとにその部位の図絵と説明があるため、使いにくく、わかりにくい。
【０００５】  ツボがある皮膚の電気抵抗が低いことを利用したツボ探索刺激装置が公知であるが（実開平７−３３３３４号公報）、この装置では、探索したツボがどの臓腑に関連しているか知ることができないため、特定の臓腑に限った効果的なツボ刺激ができない不具合がある。
【０００６】  多くの人が知りたい点は、手のどこのツボを刺激すれば、即ち手のＬＥＤ照射エリアを刺激すれば、どの臓腑の治療や機能回復になるのかという点と、普段の健康促進に重要なＬＥＤ照射エリアはどこかという点であることを考案者は知り、これらが一目すれば誰でも簡単にわかるＬＥＤ照射エリア表示シートを考案するに至った。
【先行技術文献】
【特許文献】
【０００７】
【特許文献１】特開平１０−３０９３２３号公報
【特許文献２】特開２００６−３３４１８０号公報
【特許文献３】実開平７−３３３３４号公報
【考案の概要】
【０００８】  本考案は、ＬＥＤ光を体のＬＥＤ照射エリアに照射するときに用いる、男女の違いに対応させた、手のＬＥＤ照射エリアの位置が手本としてシート面に示された、ＬＥＤ照射エリア表示シートである。
【課題を解決するための手段】
【０００９】  請求項１の考案に係るＬＥＤ照射エリア表示シートは、
ＬＥＤ光を手に照射して手の照射部位を刺激する際に手の甲側にある主要な３点のＬＥＤ照射エリアを知るために用いられる男女共用のシートであり、
該シートの左側面に男性の甲側から見た左手の図絵、該シートの右側面に女性の甲側から見た右手の図絵が夫々配置されており、
双方の手の図絵における、脳神経点と、合谷と、肛門点に、夫々、ＬＥＤ光の照射エリアを示す赤色スポットが着色表示されている。
このＬＥＤ照射エリア表示シートは、１ドットパターンのＬＥＤ光を照射する健康器具を用いて病気予防、健康促進などを図る際に、人体のどこにどのような機能を持つＬＥＤ照射エリアがあるのかを知るためのシートであり、特に手の甲や掌（てのひら）用に特定したＬＥＤ照射エリア表示シートである。
手のＬＥＤ照射エリアには、男女による違いがある。即ち、男性では左手にＬＥＤ照射エリアがあり、女性では右手のＬＥＤ照射エリアがある。本考案に係るＬＥＤ照射エリア表示シートには、男女別の手の甲側の図絵が横並びに配置されて、各手の図絵に、重要な３点のＬＥＤ照射エリアである脳神経点と合谷と肛門点の位置が赤色スポットで着色表示されている。
脳神経点は、中指の第１関節と第２関節の間に位置するＬＥＤ照射エリアであり、主に副交感神経を刺激してその機能を調整させる効用がある。
合谷（ごうこく）は、手の甲側の親指と人差し指の間を手首に向かってたどって骨にぶつかったところの人差し指側に位置するＬＥＤ照射エリアであり、テロメア量を調整し、鼻水、鼻づまり、二日酔い、嘔吐、花粉症、むくみ、にきび、肌荒れなどの改善させる効用がある。
肛門点は、主に交感神経を刺激してその機能を調整させる効用がある。
前記健康器具の使用者は、このＬＥＤ照射エリア表示シートを見ながら、前記重要な３点のＬＥＤ照射エリアの位置決めをすればよい。【００１０】  請求項２に係るＬＥＤ照射エリア表示シートは、
ＬＥＤ光を手に照射して手の照射部位を刺激する際に手の甲側と掌（てのひら）側にあるＬＥＤ照射エリアを知るために用いられる男女共用のシートであり、
該シートの上段左側に男性の甲側から見た左手の図絵、該シートの下段右側に男性の掌（てのひら）側から見た左手の図絵が夫々配置され、
該シートの下段左側に女性の甲側から見た右手の図絵、該シートの下段右側に女性の掌（てのひら）側から見た右手の図絵が夫々配置されて、これらの手の図絵における臓腑及び各箇所の椎と関連するエリアが、エリア線と色分けにより区分けされ、各区分けされたエリア辺りの箇所に各エリアに関連する臓腑名及び各椎名が表示されている。
このＬＥＤ照射エリア表示シートは、所望の臓腑の機能を回復させるためには、手のどこのＬＥＤ照射エリアを刺激すればよいのかを、一目で教えてくれる。ＬＥＤ照射エリアのうちのスポット部位がツボに相当する。臓腑の他にも、頸椎、胸椎、腰椎、仙椎などのエリアが色分け表示と文字表示されている。【００１１】  請求項３に係るＬＥＤ照射エリア表示シートは、
ＬＥＤ光を手に照射して手の照射部位を刺激する際に手の甲側と掌（てのひら）側にあるＬＥＤ照射エリアを知るために用いられる男性用のシートであり、
該シートの上段に男性の甲側から見た左手の図絵が配置されて、該図絵の脳神経点、合谷、肛門点に相当する箇所に、夫々、ＬＥＤ光の照射エリアポイント位置を示す赤色スポットが着色表示されており、
前記シートの下段左側に男性の甲側から見た左手の図絵、該シートの下段右側に男性の掌（てのひら）側から見た左手の図絵が夫々配置されて、これらの手の図絵における臓腑及び各箇所の椎と関連するエリアが、エリア線と色分けにより区分けされ、各区分けされたエリア辺りの箇所に各エリアに関連する臓腑名及び各椎名が表示されている。
このＬＥＤ照射エリア表示シートも、請求項１に係るＬＥＤ照射エリア表示シートと、請求項２に係るＬＥＤ照射エリア表示シートが１枚のシートになった男性用のＬＥＤ照射エリア表示シートである。
このため、女性用に合わせた欄は削除されている。【００１２】  請求項４の考案に係るＬＥＤ照射エリア表示シートは、
ＬＥＤ光を手に照射して手の照射部位を刺激する際に手の甲側と掌（てのひら）側にあるＬＥＤ照射エリアを知るために用いられる女性用のシートであり、
該シートの上段に女性の甲側から見た右手の図絵が配置されて、該図絵の脳神経点、合谷、肛門点に相当する箇所に、夫々、ＬＥＤ光の照射エリアを示す赤色スポットが着色表示されており、
前記シートの下段左側に女性の甲側から見た右手の図絵、該シートの下段右側に女性の掌（てのひら）側から見た右手の図絵が夫々配置されて、これらの手の図絵における臓腑及び各箇所の椎と関連するエリアが、エリア線と色分けにより区分けされ、各区分けされたエリア辺りの箇所に各エリアに関連する臓腑名及び各椎名が表示されている。
このＬＥＤ照射エリア表示シートは、請求項１に係るＬＥＤ照射エリア表示シートと、請求項２に係るＬＥＤ照射エリア表示シートが１枚のシートになった女性用のＬＥＤ照射エリア表示シートである。
このため、男性用に合わせた欄は削除されている。【００１３】  請求項５の考案に係るＬＥＤ照射エリア表示シートは、
前記シートの表面が請求項３の考案に係るＬＥＤ照射エリア表示シートで構成され、前記シートの裏面が請求項４の考案に係るＬＥＤ照射エリア表示シートで構成された１枚構造を有している。
このＬＥＤ照射エリア表示シートは、表面が男性用のＬＥＤ照射エリア表示シート、裏面が女性用のＬＥＤ照射エリア表示シートとなっている。表面，裏面は理解し易くするための便宜上の記載であり、いずれが表面であってもよい。【００１４】  以上、説明した請求項１〜５の考案に係るＬＥＤ照射エリア表示シートは、いずれも印刷物であり、両面に透明ラミネート加工されたものも含まれる。
【考案の効果】
【００１５】  請求項１の考案に係るＬＥＤ照射エリア表示シートによれば、男女の違いに合わせた手の主要な３点のＬＥＤ照射エリアである、脳神経点と、合谷と、肛門点が赤色スポットで印されているため、ＬＥＤ照射型の健康器具の使用者は、ＬＥＤ光の照射ポイントを、手のその赤色スポットに向けて、ＬＥＤ光を照射するだけで、簡単且つ的確にＬＥＤ照射エリアをとらえた手の刺激が行えるようになった。【００１６】  請求項２の考案に係るＬＥＤ照射エリア表示シートによれば、男女の手の図絵に、夫々、臓腑及び各箇所の椎と関連するエリアが、エリア線と色分けにより表示されて、該当する臓腑名及び各箇所の椎の名称が文字表示されているため、このシートを一目すれば、所望の臓腑の機能を回復させるエリア（ＬＥＤ照射エリア）が手のどこにあるのかについて、簡単且つ明確に理解出来る。【００１７】  請求項３〜５の考案に係るＬＥＤ照射エリア表示シートによれば、１枚のＬＥＤ照射エリア表示シートで、前記ＬＥＤ照射エリアやエリアが男性用と女性用に区別した理解が明確に出来る。
【図面の簡単な説明】
【００１８】
【図１】本考案実施形態１のＬＥＤ照射エリア表示シートを示した図。
【図２】本考案実施形態２のＬＥＤ照射エリア表示シートを示した図。
【図３】図２における上段左側の図絵の拡大図。
【図４】図２における上段右側の図絵の拡大図。
【図５】本考案実施形態３のＬＥＤ照射エリア表示シートを示した図。
【図６】本考案実施形態４のＬＥＤ照射エリア表示シートを示した図。
【考案を実施するための形態】
【００１９】  本考案には、次の４実施形態のＬＥＤ照射エリア表示シートがある。
（１）手の主要な３点のスポットからなるＬＥＤ照射エリアが印された男女共用のＬＥＤ照射エリア表示シート。
（２）各臓腑及び各椎と関連するＬＥＤ照射エリアが手の図絵に示された男女共用のＬＥＤ照射エリア表示シート。
（３）主要な３点のＬＥＤ照射エリアが男性の左手の図絵に印され、各臓腑及び各椎と関連するエリアが男性の左手の図絵に示された男性用のシート。
（４）主要な３点のＬＥＤ照射エリアが女性の右手の図絵に印され、各臓腑及び各椎と関連するエリアが女性の右手の図絵に示された女性用のシート。
【００２０】  各実施形態のＬＥＤ照射エリア表示シートの詳細は次の実施例により一層明確に理解されるであろう。
【実施例】
【００２１】  図１に示す第１実施形態のＬＥＤ照射エリア表示シート１は、手の主要な３点のスポットで表わされたＬＥＤ照射エリアＰ１，Ｐ２，Ｐ３が印された男女共用のシートである。
より具体的には、該シート本体１Ａの中段左側に甲側から見た男性の左手の図絵３が配置され、中段右側に甲側から見た女性の右手の図絵４が配置されている。
Ｐ１は脳神経点と呼ばれるＬＥＤ照射エリア、Ｐ２は合谷（ごうこく）又はテロメア点と呼ばれるＬＥＤ照射エリア、Ｐ３は肛門点と呼ばれるＬＥＤ照射エリアであり、これら３点のＬＥＤ照射エリアＰ１，Ｐ２，Ｐ３が赤色スポット形状に印刷されている。
そして、このＬＥＤ照射エリア表示シート１の上段と下段に、ＬＥＤ照射についての方法と注意が記載された説明欄２，３が配置されている。【００２２】  図２に示す第２実施形態のＬＥＤ照射エリア表示シート１０は、各臓腑及び各椎と関連するＬＥＤ照射エリアが手の図絵６〜９に示された男女共用のシートである。
より具体的には、シート本体１Ａの上段左側に甲側から見た男性の左手の図絵６が配置され、該シート本体１Ａの下段面右側に掌（てのひら）側から見た男性の左手の図絵７が配置されている。
そして、該シート本体１Ａの下段左側に甲側から見た女性の右手の図絵８が配置され、該シート本体１Ａの下段右側に掌（てのひら）側から見た女性の右手の図絵９が配置されている。
更に、各手の図絵６〜９に、臓腑及び各箇所の椎と関連するＬＥＤ照射エリアがエリア線と色分けによって表示され、各エリアに関連する臓腑名及び各箇所の椎の名称が文字表示されている。
尚、出願図面では色分けした表示が出来ないため、角度の違うハッチングを適宜用いた表示となっている。【００２３】  図２に示す甲側から見た男性の左手の図絵６を拡大して示した図絵が図３であり、図２に示す掌（てのひら）側から見た男性の左手の図絵７を拡大して示した図絵が図４である。
上記エリア色の色分け表示例を次の「表１」に示す。【００２４】
【表１】
0003162170.tif 000003
【００２５】
【００２６】  図５に示す第３実施形態のＬＥＤ照射エリア表示シート３０は、主要な３点のＬＥＤ照射エリアＰ１，Ｐ２，Ｐ３が男性の左手の図絵４に印され、各臓腑及び各椎と関連するエリアが男性の左手の図絵６，７に示された男性用のシートである。
より具体的には、シート本体１Ａの上段右側に甲側から見た男性の左手の図絵４が印刷により配置され、この左手の図絵４に主要な３点のＬＥＤ照射エリアＰ１，Ｐ２，Ｐ３が赤色ドットパターン形状に印刷され、この左手の図絵４の右側に各ＬＥＤ照射エリアＰ１，Ｐ２，Ｐ３の名称が印刷されている。
そして、シート本体１Ａの下段左側に甲側から見た男性の左手の図絵４が印刷により配置され、シート本体１Ａの下段右側に掌（てのひら）側から見た男性の左手の図絵７が印刷により配置されている。
そして更に、各左手の図絵６，７に、臓腑及び各箇所の椎と関連するＬＥＤ照射エリアのエリアがエリア線と色分けによって表示され、各エリア辺りの箇所に該当臓腑の名称と各椎の名称が表示されている。【００２７】  図６に示す第４実施形態のＬＥＤ照射エリア表示シート４０は、主要な３点のＬＥＤ照射エリアＰ１，Ｐ２，Ｐ３が女性の右手の図絵４に印され、各臓腑及び各椎と関連するエリアが女性の右手の図絵８，９に示された女性用のシートである。
より具体的には、シート本体１Ａの上段右側に甲側から見た女性の右手の図絵５が印刷により配置され、この右手の図絵５に主要な３点のＬＥＤ照射エリアＰ１，Ｐ２，Ｐ３が赤色ドットパターン形状に印刷されている。
そして、シート本体１Ａの下段左側に甲側から見た女性の右手の図絵８が印刷により配置され、シート本体１Ａの下段右側に掌（てのひら）側から見た女性の右手の図絵９が印刷により配置されている。
そして、各右手の図絵８，９に、臓腑及び各箇所の椎と関連するＬＥＤ照射エリアのエリアがエリア線と色分けによって表示され、各エリア辺りの箇所に該当臓腑の名称と各椎の名称が表示されている。【００２８】  以上、説明した各実施形態のＬＥＤ照射エリア表示シート１，２０，３０，４０は、各１枚のシートで構成して個別に使用してもよく、実施形態１のＬＥＤ照射エリア表示シート１の裏面を実施形態２のＬＥＤ照射エリア表示シート１０で構成してもよい。
また、第３実施形態のＬＥＤ照射エリア表示シート３０の裏面を第４実施形態のＬＥＤ照射エリア表示シート４０で構成してもよい。
【符号の説明】
【００２９】  １    第１実施形態のＬＥＤ照射エリア表示シート
２０    第２実施形態のＬＥＤ照射エリア表示シート
３０    第３実施形態のＬＥＤ照射エリア表示シート
４０    第４実施形態のＬＥＤ照射エリア表示シート
１Ａ  シート本体
２，３    説明欄
４    甲側から見た男性の左手の図絵
５    甲側から見た女性の右手の図絵
６    甲側から見た男性の左手の図絵
７    掌（てのひら）側から見た男性の左手の図絵
８    甲側から見た女性の右手の図絵
９    掌（てのひら）側から見た女性の右手の図絵
Ｐ１    脳神経点（主要なＬＥＤ照射エリアの１つ）
Ｐ２    合谷（テロメア点）（主要なＬＥＤ照射エリアの１つ）
Ｐ３    肛門点（主要なＬＥＤ照射エリアの１つ）
【図１】
0003162170.tif 000004
【図２】
0003162170.tif 000005
【図３】
0003162170.tif 000006
【図４】
0003162170.tif 000007
【図５】
0003162170.tif 000008
【図６】
0003162170.tif 000009
【手続補正書】
【提出日】平成22年4月1日(2010.4.1)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤ光を照射して手のツボを刺激する際に手の甲側にある主要な３点のツボの位置を知るために用いられる男女共用のシートであり、
該シートの左側面に男性の甲側から見た左手の図絵、該シートの右側面に女性の甲側から見た右手の図絵が夫々配置されており、
双方の手の図絵における、脳神経点と、合谷と、肛門点に、夫々、ＬＥＤ光の照射ポイント位置を示す赤色スポットが着色表示されていることを特徴とするツボ表示シート。
【請求項２】
ＬＥＤ光を照射して手のツボを刺激する際に手の甲側と掌（てのひら）側にあるツボの位置を知るために用いられる男女共用のシートであり、
該シートの上段左側に男性の甲側から見た左手の図絵、該シートの下段右側に男性の掌（てのひら）側から見た左手の図絵が夫々配置され、
該シートの下段左側に女性の甲側から見た右手の図絵、該シートの下段右側に女性の掌（てのひら）側から見た右手の図絵が夫々配置されて、これらの手の図絵における臓腑及び各箇所の椎と関連する領域が、領域線と色分けにより区分けされ、各区分けされた領域辺りの箇所に臓腑及び各椎の名称が表示されていることを特徴とするツボ表示シート。
【請求項３】
ＬＥＤ光を照射して手のツボを刺激する際に手の甲側と掌（てのひら）側にあるツボの位置を知るために用いられる男性用のシートであり、
該シートの上段に男性の甲側から見た左手の図絵が配置されて、該図絵の脳神経点、合谷、肛門点に相当する箇所に、夫々、ＬＥＤ光の照射ポイント位置を示す赤色スポットが着色表示されており、
前記シートの下段左側に男性の甲側から見た左手の図絵、該シートの下段右側に男性の掌（てのひら）側から見た左手の図絵が夫々配置されて、これらの手の図絵における臓腑及び各箇所の椎と関連する領域が、領域線と色分けにより区分けされ、各区分けされた領域辺りの箇所に臓腑及び各椎の名称が表示されていることを特徴とするツボ表示シート。
【請求項４】
ＬＥＤ光を照射して手のツボを刺激する際に手の甲側と掌（てのひら）側にあるツボの位置を知るために用いられる女性用のシートであり、
該シートの上段に女性の甲側から見た右手の図絵が配置されて、該図絵の脳神経点、合谷、肛門点に相当する箇所に、夫々、ＬＥＤ光の照射ポイント位置を示す赤色スポットが着色表示されており、
前記シートの下段左側に女性の甲側から見た右手の図絵、該シートの下段右側に女性の掌（てのひら）側から見た右手の図絵が夫々配置されて、これらの手の図絵における臓腑及び各箇所の椎と関連する領域が、領域線と色分けにより区分けされ、各区分けされた領域辺りの箇所に臓腑及び各椎の名称が表示されていることを特徴とするツボ表示シート。
【請求項５】
ＬＥＤ光を照射して手のツボを刺激する際に手の甲側と掌（てのひら）側にあるツボの位置を知るために用いられるシートであり、
該シートの表面上段に男性の甲側から見た左手の図絵が配置されて、該図絵の脳神経点、合谷、肛門点に相当する箇所に、夫々、ＬＥＤ光の照射ポイント位置を示す赤色スポットが着色表示されており、
前記シートの表面下段左側に男性の甲側から見た左手の図絵、該シートの下段右側に男性の掌（てのひら）側から見た左手の図絵が夫々配置されて、これらの手の図絵における臓腑及び各箇所の椎と関連する領域が、領域線と色分けにより区分けされ、各区分けされた領域辺りの箇所に臓腑及び各椎の名称が表示されており、
前記シートの裏面上段に女性の甲側から見た右手の図絵が配置されて、該図絵の脳神経点、合谷、肛門点に相当する箇所に、夫々、ＬＥＤ光の照射ポイント位置を示す赤色スポットが着色表示されており、
前記シートの裏面下段左側に女性の甲側から見た右手の図絵、該シートの下段右側に女性の掌（てのひら）側から見た右手の図絵が夫々配置されて、これらの手の図絵における臓腑及び各箇所の椎と関連する領域が、領域線と色分けにより区分けされ、各区分けされた領域辺りの箇所に臓腑及び各椎の名称が表示された、１枚構造を有していることを特徴とするツボ表示シートことを特徴とするツボ表示シート。
【手続補正２】
【補正対象書類名】明細書
【補正対象項目名】００１３
【補正方法】変更
【補正の内容】
【００１３】  請求項５の考案に係るツボ表示シートは、
ＬＥＤ光を照射して手のツボを刺激する際に手の甲側と掌（てのひら）側にあるツボの位置を知るために用いられるシートであり、
該シートの表面上段に男性の甲側から見た左手の図絵が配置されて、該図絵の脳神経点、合谷、肛門点に相当する箇所に、夫々、ＬＥＤ光の照射ポイント位置を示す赤色スポットが着色表示されており、
前記シートの表面下段左側に男性の甲側から見た左手の図絵、該シートの下段右側に男性の掌（てのひら）側から見た左手の図絵が夫々配置されて、これらの手の図絵における臓腑及び各箇所の椎と関連する領域が、領域線と色分けにより区分けされ、各区分けされた領域辺りの箇所に臓腑及び各椎の名称が表示されており、
前記シートの裏面上段に女性の甲側から見た右手の図絵が配置されて、該図絵の脳神経点、合谷、肛門点に相当する箇所に、夫々、ＬＥＤ光の照射ポイント位置を示す赤色スポットが着色表示されており、
前記シートの裏面下段左側に女性の甲側から見た右手の図絵、該シートの下段右側に女性の掌（てのひら）側から見た右手の図絵が夫々配置されて、これらの手の図絵における臓腑及び各箇所の椎と関連する領域が、領域線と色分けにより区分けされ、各区分けされた領域辺りの箇所に臓腑及び各椎の名称が表示された、１枚構造を有している。
このツボ表示シートは、表面が男性用のツボ表示シート、裏面が女性用のツボ表示シートとなっている。表面，裏面は理解し易くするための便宜上の記載であり、いずれが表面であってもよい。
【手続補正書】
【提出日】平成22年6月7日(2010.6.7)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤ光を照射して手のツボを刺激する際に手の甲側にある主要な３点のツボの位置を知るために用いられる男女共用のシートであり、
該シートの左側面に男性の甲側から見た左手の図絵、該シートの右側面に女性の甲側から見た右手の図絵が夫々配置されており、
双方の手の図絵における、脳神経点と、合谷と、肛門点に、夫々、ＬＥＤ光の照射ポイント位置を示す赤色スポットが着色表示されていることを特徴とするツボ表示シート。
【請求項２】
ＬＥＤ光を照射して手のツボを刺激する際に手の甲側と掌（てのひら）側にあるツボの位置を知るために用いられる男女共用のシートであり、
該シートの上段左側に男性の甲側から見た左手の図絵、該シートの下段右側に男性の掌（てのひら）側から見た左手の図絵が夫々配置され、
該シートの下段左側に女性の甲側から見た右手の図絵、該シートの下段右側に女性の掌（てのひら）側から見た右手の図絵が夫々配置されて、これらの手の図絵における臓腑及び各箇所の椎と関連する領域が、領域線と色分けにより区分けされ、各区分けされた領域辺りの箇所に臓腑及び各椎の名称が表示されていることを特徴とするツボ表示シート。
【請求項３】
ＬＥＤ光を照射して手のツボを刺激する際に手の甲側と掌（てのひら）側にあるツボの位置を知るために用いられる男性用のシートであり、
該シートの上段に男性の甲側から見た左手の図絵が配置されて、該図絵の脳神経点、合谷、肛門点に相当する箇所に、夫々、ＬＥＤ光の照射ポイント位置を示す赤色スポットが着色表示されており、
前記シートの下段左側に男性の甲側から見た左手の図絵、該シートの下段右側に男性の掌（てのひら）側から見た左手の図絵が夫々配置されて、これらの手の図絵における臓腑及び各箇所の椎と関連する領域が、領域線と色分けにより区分けされ、各区分けされた領域辺りの箇所に臓腑及び各椎の名称が表示されていることを特徴とするツボ表示シート。
【請求項４】
ＬＥＤ光を照射して手のツボを刺激する際に手の甲側と掌（てのひら）側にあるツボの位置を知るために用いられる女性用のシートであり、
該シートの上段に女性の甲側から見た右手の図絵が配置されて、該図絵の脳神経点、合谷、肛門点に相当する箇所に、夫々、ＬＥＤ光の照射ポイント位置を示す赤色スポットが着色表示されており、
前記シートの下段左側に女性の甲側から見た右手の図絵、該シートの下段右側に女性の掌（てのひら）側から見た右手の図絵が夫々配置されて、これらの手の図絵における臓腑及び各箇所の椎と関連する領域が、領域線と色分けにより区分けされ、各区分けされた領域辺りの箇所に臓腑及び各椎の名称が表示されていることを特徴とするツボ表示シート。
【請求項５】
ＬＥＤ光を照射して手のツボを刺激する際に手の甲側と掌（てのひら）側にあるツボの位置を知るために用いられるシートであり、
該シートの表面上段に男性の甲側から見た左手の図絵が配置されて、該図絵の脳神経点、合谷、肛門点に相当する箇所に、夫々、ＬＥＤ光の照射ポイント位置を示す赤色スポットが着色表示されており、
前記シートの表面下段左側に男性の甲側から見た左手の図絵、該シートの下段右側に男性の掌（てのひら）側から見た左手の図絵が夫々配置されて、これらの手の図絵における臓腑及び各箇所の椎と関連する領域が、領域線と色分けにより区分けされ、各区分けされた領域辺りの箇所に臓腑及び各椎の名称が表示されており、
前記シートの裏面上段に女性の甲側から見た右手の図絵が配置されて、該図絵の脳神経点、合谷、肛門点に相当する箇所に、夫々、ＬＥＤ光の照射ポイント位置を示す赤色スポットが着色表示されており、
前記シートの裏面下段左側に女性の甲側から見た右手の図絵、該シートの下段右側に女性の掌（てのひら）側から見た右手の図絵が夫々配置されて、これらの手の図絵における臓腑及び各箇所の椎と関連する領域が、領域線と色分けにより区分けされ、各区分けされた領域辺りの箇所に臓腑及び各椎の名称が表示された、１枚構造を有していることを特徴とするツボ表示シート。